Podtech/llm-jp-corpus-v4-ja_patent huggingface dataset:
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
成分(a)〜(c)の全質量に基づき
(a) 10%〜95%のMgO; 及び
(b) 5%〜80%の炭酸マグネシウム;
(c) 0%〜10%の塩化物
を含む乾燥粉末形態の水硬性結合剤組成物であって:
(A)炭酸マグネシウムが下記式
x MgCO3・y Mg(OH)2・z H2O
(式中、xは、少なくとも1である数であり、y及びzは、共に0より大きい数である)
の形態であって、前記結合剤組成物が、MgO及び/又はMg(OH)2、炭酸マグネシウム及び必要により塩化物を以下の範囲の1つより選ばれる量で含む、水硬性結合剤組成物:
i)
成分(a)〜(c)の全質量に基づき
(a) 30%〜80%の酸化マグネシウム(MgO);
(b) 20%〜60%の1つ以上の炭酸マグネシウム; 及び
(c) 0%〜10%の塩化物;
ii)
成分(a)〜(c)の全質量に基づき
(a) 10%〜40%の酸化マグネシウム(MgO);
(b) 60%〜80%の1つ以上の炭酸マグネシウム; 及び
(c) 0%〜10%の塩化物;
iii)
成分(a)〜(d)の全質量に基づき
(a) 40%〜85%の酸化マグネシウム(MgO);
(b) 5%〜30%の水酸化マグネシウム(Mg(OH)2);
(c) 10%〜20%の1つ以上の炭酸マグネシウム; 及び
(d) 0%〜10%の塩化物;
iv)
成分(a)〜(d)の全質量に基づき
(a) 20%〜75%の酸化マグネシウム(MgO);
(b) 5%〜30%の水酸化マグネシウム(Mg(OH)2);
(c) 20%〜40%の1つ以上の炭酸マグネシウム; 及び
(d) 0%〜10%の塩化物;
v)
成分(a)〜(d)の全質量に基づき
(a) 10%〜60%の酸化マグネシウム(MgO);
(b) 30%〜50%の水酸化マグネシウム(Mg(OH)2);
(c) 10%〜30%の1つ以上の炭酸マグネシウム; 及び
(d) 0%〜10%の塩化物。
又は、
(B)炭酸マグネシウムが、x MgCO3・z H2O
(式中、xは少なくとも1である数であり、
zは、0より大きい数である)
の形態である、水硬性結合剤組成物。
【請求項２】
式x MgCO3・y Mg(OH)2・z H2Oにおいて、
xが3.5 - 4.5の数であり、
yが0.5 - 1.5の数であり、
zが3.5 - 5.5の数である、
請求項１記載の結合剤組成物。
【請求項３】
式x MgCO3・y Mg(OH)2・z H2Oにおいて、
xが4であり、
yが1であり、
zが4又は5である、
請求項１記載の結合剤組成物。
【請求項４】
炭酸マグネシウムが、x MgCO3・z H2O
(式中、xは少なくとも1であり、
zは、0より大きい)
の形態である、請求項１記載の結合剤組成物。
【請求項５】
炭酸マグネシウムがネスケホナイト(MgCO3・3H2O)又はランスフォルダイト(MgCO3・5H2O)である、請求項４記載の結合剤組成物。
【請求項６】
炭酸マグネシウムがハイドロマグネサイトである、請求項１記載の結合剤組成物。
【請求項７】
塩化物がNaClである、請求項１〜６のいずれか１項に記載の結合剤組成物。
【請求項８】
MgO及び/又はMg(OH)2、炭酸マグネシウム及び必要により塩化物を以下の範囲の1つより選ばれる量で含む、請求項４又は５に記載の結合剤組成物:
i)
成分(a)〜(c)の全質量に基づき
(a) 30%〜80%の酸化マグネシウム(MgO);
(b) 20%〜60%の1つ以上の炭酸マグネシウム; 及び
(c) 0%〜10%の塩化物;
ii)
成分(a)〜(c)の全質量に基づき
(a) 10%〜40%の酸化マグネシウム(MgO);
(b) 60%〜80%の1つ以上の炭酸マグネシウム; 及び
(c) 0%〜10%の塩化物;
iii)
成分(a)〜(d)の全質量に基づき
(a) 40%〜85%の酸化マグネシウム(MgO);
(b) 5%〜30%の水酸化マグネシウム(Mg(OH)2);
(c) 10%〜20%の1つ以上の炭酸マグネシウム; 
(d) 0%〜10%の塩化物;
iv)
成分(a)〜(d)の全質量に基づき
(a) 20%〜75%の酸化マグネシウム(MgO);
(b) 5%〜30%の水酸化マグネシウム(Mg(OH)2);
(c) 20%〜40%の1つ以上の炭酸マグネシウム; 及び
(d) 0%〜10%の塩化物;
v)
成分(a)〜(d)の全質量に基づき
(a) 10%〜60%の酸化マグネシウム(MgO);
(b) 30%〜50%の水酸化マグネシウム(Mg(OH)2);
(c) 10%〜30%の1つ以上の炭酸マグネシウム; 及び
(d) 0%〜10%の塩化物;
又は、
vi)
成分(a)〜(c)の全質量に基づき
(a) 70%〜95%の酸化マグネシウム(MgO);
(b) 5%〜20%の1つ以上の炭酸マグネシウム; 及び
(c) 0%〜10%の塩化物。
【請求項９】
MgO/Mg(OH)2粒子の平均粒径が約0.01〜800μm、例えば、約0.01〜600μmであり; 更に/又は炭酸マグネシウム粒子の平均粒径が約0.01〜800μm、例えば、約0.01〜600μmである、請求項１〜８のいずれか１項に記載の結合剤組成物。
【請求項１０】
請求項１〜９のいずれか１項に記載の結合剤及び充填剤、例えば、シリカ質材料又は凝集体を含む組成物。
【請求項１１】
コンクリート、モルタル、セメント又は他の建築構造製品における結合剤としての請求項１〜１０のいずれか１項に記載の組成物の使用。
【請求項１２】
硬化した請求項１〜１０のいずれか１項に記載の組成物を含む構造製品; 例えば、高密度建築用ブロック、軽量建築用ブロック、タイル、かわら、レンガ、又はモルタル。
【請求項１３】
建設材料を形成する方法であって、
請求項１〜１０のいずれか１項に記載の結合剤と:
(e) 水及び
(f) 必要により、添加剤又は充填剤、例えば、シリカ質材料又は凝集体
とを一緒に混合する工程; 及び
その混合物を硬化させる工程
を含む、前記方法。
【請求項１４】
成分(e)〜(f)の量が、成分(a)〜(f)の全質量に基づき:
(e) 5-80質量%までの水; 及び
(f) 99質量%までの充填剤及び他の添加剤
である、請求項１３に記載の方法。
【請求項１５】
(a) 酸化マグネシウムの量、
(b) 請求項１に記載の一般式Ｉの炭酸マグネシウムの量、及び
必要により(c) 塩化物の量
を請求項１又は８に記載の量で成分を組み合わせる説明書と共に含むキット。
【手続補正書】
【提出日】平成24年5月2日(2012.5.2)
【手続補正１】
【補正対象書類名】特許請求の範囲
【補正対象項目名】全文
【補正方法】変更
【補正の内容】
【特許請求の範囲】
【請求項１】
巻き上げ機と、
サイドフランジを備えた梁に沿って移動するように配されたトロリとを含み、該トロリは、前記梁の両側に配されて車輪を備える２つのトロリフランジを含み、それによって前記梁の前記サイドフランジに沿って移動し、さらに、
前記巻き上げ機を前記梁の下の前記トロリフランジに固定し、該トロリフランジの間の相互の距離を調整する固定調整手段を含む巻き上げ機の組合せにおいて、
前記固定調整手段は、前記巻き上げ機と前記トロリフランジとの間の支持用摺動連結器と、トロリフランジの間に接続された調整棒とを含み、該調整棒および前記摺動連結器の摺動方向は前記梁に対して横向きであることを特徴とする巻き上げ機の組合せ。
【請求項２】
請求項１に記載の巻き上げ機の組合せにおいて、前記支持用摺動連結器は、前記巻き上げ機の前側および後ろ側に設けられた溝と、前記トロリフランジに設けられて、前記巻き上げ機の前記溝にて延伸および把持し、前記溝に摺動可能に協働するクランプとを含むことを特徴とする巻き上げ機の組合せ。
【請求項３】
請求項１または２に記載の巻き上げ機の組合せにおいて、前記調整棒はねじ付き棒であり、該ねじ付き棒は、前記トロリフランジに対して該ねじ付き棒が回転するのを防止して該ねじ付き棒を前記巻き上げ機に不動に固定する固定手段を付加的に備えていることを特徴とする巻き上げ機の組合せ。
【手続補正書】
【提出日】平成24年6月6日(2012.6.6)
【手続補正１】
【補正対象書類名】明細書
【補正対象項目名】０００３
【補正方法】変更
【補正の内容】
【０００３】
良好な熱的および化学的安定性と、均一なメソ細孔サイズと、高い比表面積とを有するアルミナが、触媒作用または吸着作用における適用のために活発に開発されている。カチオン性、アニオン性、中性、または非イオン性の界面活性剤の存在下、アルミニウム塩の沈着またはアルミニウム前駆体の加水分解により調製されたアルミナは、調製条件に応じて、良好な熱的および化学的安定性と、均一なメソ細孔サイズと、高い比表面積とを有する。特許文献１には、そのようなアルミナの調製であって、アルミニウムアルコキシド、特にアルミニウムｔｒｉ−ｓｅｃブトキシドと、カチオン性界面活性剤、特に式ＣＨ３（ＣＨ２）ｎ−１Ｎ（ＣＨ３）３Ｂｒ（ｎ＝１２、１４、１６または１８）を有する第四級アンモニウムと、有機アルコールタイプの溶媒、特に１−ブタノール、２−ブタノール、１−プロパノール、または２−プロパノールと、水とを含む混合物を水熱処理することによる、調製が記載されている。特許文献１に開示された方法により得られるアルミナは、良好な熱的安定性と、界面活性剤のサイズ（またはｎ）にとりわけ依存する値に調整されたメソ細孔サイズと、高い比表面積とを有する。しかし、特許文献１のアルミナは、比較的中程度のメソ細孔容積を有し、これは、このアルミナが種々の炭化水素転化反応において用いられる触媒中に存在する場合、二流の触媒性能をもたらす。
【手続補正２】
【補正対象書類名】明細書
【補正対象項目名】００４５
【補正方法】変更
【補正の内容】
【００４５】
制御されたメソ多孔度を有し、かつ本発明の方法に従って調製されたアルミナＡ２およびアルミナＡ３をそれぞれに含む触媒Ｃ２およびＣ３は、活性相の沈着にもかかわらず、従来技術に従って調製されたアルミナＡ１を含む触媒Ｃ１と比較して、狭いメソ細孔のサイズ（径）分布と、高い比表面積と、とりわけ非常に高いメソ細孔容積とを有していた。触媒Ｃ２およびＣ３はまた、従来のアルミナＡ４で製造された触媒Ｃ４のものと比較して、狭いメソ細孔サイズ（径）分布と高い比表面積とを有していた。本発明の方法に従って調製されたアルミナＡ２およびＡ３は、このように、触媒担体であることに関して良好な特性を有しており、また、非常に良好な化学的安定性を有していた。
【手続補正３】
【補正対象書類名】明細書
【補正対象項目名】００４８
【補正方法】変更
【補正の内容】
【００４８】
試薬（チオフェン）と生成物（ブタン、ブタ−１−エン、trans−ブタ−２−エン、cis−ブタ−２−エン）の量を、フレームイオン化検出器およびＰＬＯＴアルミナカラムを備えたガスクロマトグラフを用いて分析した。
【手続補正４】
【補正対象書類名】明細書
【補正対象項目名】００５０
【補正方法】変更
【補正の内容】
【００５０】
以下のように、チオフェンの転化率を計算した：
Ｃｖチオ＝（Σａｉ／４）／（ａチオ／３．４＋Σａｉ／４）
式中、ａｉは、生成物ｉ、すなわち、ブタン、ブタ−１−エン、trans−ブタ−２−エン、およびcis−ブタ−２−エンに相当するクロマトグラム上のピークの面積であり、ａチオは、チオフェンに相当するクロマトグラム上のピークの面積である。
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
特定の生体構造的領域の三次元画像データから決定される一組の円弧を通じた管経路を生成することによりターゲット局在に到達するために逆運動学を使用して設定され寸法決めされた、互いに入れ子になっている複数の同心のはめ込み管を有し、各円弧は起点と前記ターゲット局在との間で決定され、前記ターゲット局在は、（ｉ）医療処置と、（ｉｉ）生体構造的構造体の局在及び方向との要件により決定され、前記複数の同心のはめ込み管の構成は、離散化された構成空間、禁止状態、スタート又はストップ状態、及び近隣を含むフレームワークのコンポーネントにより規定され、規定されたコンポーネントに応じて、入れ子カニューレシステムは、所与の近隣に被包される対応する管で許容される動きに基づいて、シード局在からの最短で衝突がない経路を生成する、入れ子カニューレシステム。
【請求項２】
最短で衝突がない経路を生成することは、所与の近隣のシード局在からの全ての可能性がある経路を捜し出すための検索を使用することを含み、前記近隣は、対応するファイバに沿って後で到達可能な近隣として考慮される局在及び方向を統制し、近隣は後続の伸展のために開いたノードになり、開いたノードの局在及び方向は、対応するノードのホーム方向にマッチするように向けられる新しい近隣で伸展される、請求項１に記載のシステム。
【請求項３】
近隣の伸展は、最も近くから最も遠くまで、各ファイバに沿って近隣の対応するホーム局在から実施され、所与のファイバに対して、禁止状態が見つかることに応じて、所与のファイバの残りは到達できないとみなされ、検索が次のファイバに続く、請求項２に記載のシステム。
【請求項４】
障壁を示す禁止状態を回避するためファイバを通じた３Ｄの順次の検索を実施する、請求項３に記載のシステム。
【請求項５】
複数の管が、特定の個人と関連した特定の生体構造的領域に対して予め設定された形状及び伸展の長さに逆運動学を使用して設定され、寸法決めされる、請求項１に記載のシステム。
【請求項６】
前記フレームワークは、コスト計量を含み、ホーム局在から所与の近隣内の近隣までの直線経路又は円弧に沿って進む距離により定められ、前記入れ子カニューレシステムが進む距離を最小にする、請求項１に記載のシステム。
【請求項７】
（ａ）３次元以上の次元で、生体構造的領域の離散化された構成空間を含む画像データを得るステップと、
（ｂ）前記データから生体構造的構造体を識別するステップと、
（ｃ）前記生体構造的領域内のターゲット局在を決定するステップと、
（ｄ）経路を形成するために起点と前記ターゲット局在との間に一連の連結された経路形状を生成するステップと、
（ｅ）連結された経路形状を用いて、前記ターゲット局在に到達するように逆運動学を使用して設定され、寸法決めされる、互いに入れ子になった複数の同心のはめ込み管を生成するステップであって、離散化された構成空間、禁止状態、スタート又はストップ状態、及び近隣を含むフレームワークのコンポーネントにより前記複数の同心のはめ込み管の構成を規定するステップを含む当該ステップと、
（ｆ）規定されたコンポーネントに応じて、所与の近隣に被包される対応する管で許容される動きに基づいて、シード局在からの最短で衝突がない経路を生成するステップとを有する、入れ子カニューレ構成のための方法。
【請求項８】
最短で衝突がない経路を生成するステップは、所与の近隣のシード局在からの全ての可能性がある経路を捜し出すための検索を使用するステップを含み、前記近隣は、対応するファイバに沿って後で到達可能な近隣として考慮される局在及び方向を統制し、近隣は後続の伸展のために開いたノードになり、開いたノードの局在及び方向は、対応するノードのホーム方向にマッチするように向けられる新しい近隣で伸展される、請求項７に記載の方法。
【請求項９】
近隣の伸展は、最も近くから最も遠くまで、各ファイバに沿って近隣の対応するホーム局在から実施され、所与のファイバに対して、禁止状態が見つかることに応じて、所与のファイバの残りは到達できないとみなされ、検索が次のファイバに続く、請求項８に記載の方法。
【請求項１０】
障壁を示す禁止状態を回避するためファイバを通じた３Ｄの順次の検索を実施する、請求項９に記載の方法。
【請求項１１】
複数の管が、特定の個人と関連した特定の生体構造的領域に対して予め設定された形状及び伸展の長さに逆運動学を使用して設定され、寸法決めされる、請求項７に記載の方法。
【請求項１２】
前記フレームワークは、コスト計量を含み、ホーム局在から所与の近隣内の近隣までの直線経路又は円弧に沿って進む距離により定められ、前記入れ子カニューレシステムが進む距離を最小にする、請求項７に記載の方法。
【請求項１３】
（ａ）ウェブベースのインタフェースを通じて、生体構造的領域及び構造体の画像データを受信するステップと、
（ｂ）特定の医療処置又は患者に関する情報を受信するステップと、
（ｃ）前記生体構造的領域の生体構造的構造体の局在及び方向並びに医療処置の要件によりターゲット局在を決定するステップと、
（ｄ）経路を形成するためにターゲット局在と起点との間に一連の連結された経路形状を生成するステップと、
（ｅ）連結された経路形状を用いて、前記ターゲット局在に到達するように逆運動学を使用して設定され、寸法決めされる、互いに入れ子になった複数の同心のはめ込み管を生成するステップであって、離散化された構成空間、禁止状態、スタート又はストップ状態、及び近隣を含むフレームワークのコンポーネントにより前記複数の同心のはめ込み管の構成を規定するステップを含む当該ステップと、
（ｆ）規定されたコンポーネントに応じて、所与の近隣に被包される対応する管で許容される動きに基づいて、シード局在からの最短で衝突がない経路を生成するステップとを有する、入れ子カニューレデザイン及び構成ビジネス方法。
【請求項１４】
複数の管が、特定の個人と関連した特定の生体構造的領域に対して予め設定された形状及び伸展の長さに逆運動学を使用して設定され、寸法決めされる、請求項１３に記載の方法。
【請求項１５】
前記同心のはめ込み管を製造又は組み立てるステップを更に有する、請求項１３に記載の方法。
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
ハイブリッドペプチド誘導体であって、
ハイブリッドペプチドが、
アミリン（１−７）−[Ａｒｇ１１，Ａｒｇ１８] ｓＣＴ（８−２７）−アミリン（３３−３７）（配列番号：５）
アミリン（２−７）−[Ａｒｇ１１，Ａｒｇ１８] ｓＣＴ（８−２７）−アミリン（３３−３７）（配列番号：６）
アミリン（１−８）−[Ａｒｇ１１，Ａｒｇ１８] ｓＣＴ（９−２７）−アミリン（３３−３７）（配列番号：７）
アミリン（２−８）−[Ａｒｇ１１，Ａｒｇ１８] ｓＣＴ（９−２７）−アミリン（３３−３７）（配列番号：８）
[Ｈｉｓ１] アミリン（１−８）−[Ｈｉｓ１１，Ｈｉｓ１８，Ｈｉｓ２４] ｓＣＴ（９−２７）−アミリン（３３−３７）（配列番号：９）
からなる群から選択され、
アルブミン結合部位がハイブリッドペプチドに結合している誘導体。
【請求項２】
アルブミン結合部位がハイブリッドペプチドにリンカーを介して結合している、請求項１に記載の誘導体。
【請求項３】
アルブミン結合部位がＮ末端アミノ酸及び／又はＣ末端アミノ酸及び／又はハイブリッドペプチドの内部の１又は複数のアミノ酸に結合している、請求項１または２に記載の誘導体。
【請求項４】
誘導体がハイブリッドペプチドのＮ末端に結合している１から１２の付加的なアミノ酸からなるＮ末端伸長を含み、ここで、アルブミン結合部位が、所望によりリンカーを介して、付加的なアミノ酸のＮ末端アミノ酸に結合している、請求項１から３の何れか一項に記載の誘導体。
【請求項５】
アルブミン結合残基が親油性残基である、請求項１から４の何れか一項に記載の誘導体。
【請求項６】
アルブミン結合残基が負電荷を帯び得る基を含んでなる、請求項１から４の何れか一項に記載の誘導体。
【請求項７】
アルブミン結合残基がカルボン酸基を含んでなる、請求項６に記載の誘導体。
【請求項８】
アルブミン結合残基が、ｓが４から３８の整数、好ましくは４から２４の整数であるＨＯＯＣ（ＣＨ２）ｓＣＯ−を含んでなる基から選択され、より好ましくは、ＨＯＯＣ（ＣＨ２）１４ＣＯ−、ＨＯＯＣ（ＣＨ２）１６ＣＯ−、ＨＯＯＣ（ＣＨ２）１８ＣＯ−、ＨＯＯＣ（ＣＨ２）２０ＣＯ−及びＨＯＯＣ（ＣＨ２）２２ＣＯ−を含む群から選択されるアシル基である、請求項６または７に記載の誘導体。
【請求項９】
アルブミン結合残基が、直鎖アルキル基、分岐アルキル基、ωカルボン酸基を有する基、及び部分的又は完全に水素化されたシクロペンタノフェナントレン骨格からなる群から選択される、請求項１から８の何れか一項に記載の誘導体。
【請求項１０】
アルブミン結合残基が、所望によりリンカーを介して、リシン残基のεアミノ基に結合している、請求項１から９の何れか一項に記載の誘導体。
【請求項１１】
請求項１から１０の何れか一項に記載の誘導体を含む薬学的組成物、及び薬学的に許容可能な賦形剤。
【請求項１２】
医薬として使用するための、請求項１から１０の何れか一項に記載の誘導体。
【請求項１３】
高血糖症、２型糖尿病、耐糖能異常、１型糖尿病、肥満、高血圧、Ｘ症候群、脂質異常症、認知障害、アテローム性動脈硬化症、心筋梗塞、冠状動脈性心臓病及び他の心臓血管疾患、卒中、炎症性腸症候群、消化不良及び胃潰瘍の治療又は予防のための医薬として使用するための、請求項１から１０の何れか一項に記載の誘導体。
【請求項１４】
摂食量減少、β細胞アポトーシス減少、β細胞機能及びβ細胞量の増大、および／またはβ細胞のグルコース感受性回復のための医薬として使用するための請求項１から１０の何れか一項に記載の誘導体。
【請求項１５】
請求項１から１０の何れか一項に記載の誘導体の活性量を検体に投与することを含む、高血糖症、２型糖尿病、耐糖能異常、１型糖尿病、肥満、高血圧、Ｘ症候群、脂質異常症、認知障害、アテローム性動脈硬化症、心筋梗塞、冠状動脈性心臓病及び他の心臓血管疾患、卒中、炎症性腸症候群、消化不良及び胃潰瘍の治療又は予防のための方法。
【請求項１６】
請求項１から１０の何れか一項に記載の誘導体の活性量を検体に投与することを含む、摂食量減少、β細胞アポトーシス減少、β細胞機能及びβ細胞量の増大、および／またはβ細胞のグルコース感受性回復のための方法。
【手続補正書】
【提出日】平成24年10月11日(2012.10.11)
【手続補正１】
【補正対象書類名】特許請求の範囲
【補正対象項目名】請求項３
【補正方法】変更
【補正の内容】
【請求項３】
液体シェル内の磁性ナノ粒子の体積分率αを決定する段階が更に以下の条件：
（ｖ）０＜α＜０．２
を満足する請求項１又は２に記載の方法。
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
配列番号１〜４からなる群より選ばれるアミノ酸配列を有する低アレルギー性物質の、ミルクアレルギー治療用の医薬組成物またはワクチンの製造における使用。
【請求項２】
ミルクアレルギー治療用の、配列番号１〜４からなる群より選ばれるアミノ酸配列を有する修飾β−ラクトグロブリン。
【請求項３】
配列番号１〜４からなる群より選ばれるアミノ酸配列を有する修飾β−ラクトグロブリン。
【請求項４】
請求項３の修飾β−ラクトグロブリンを包含する医薬組成物。
【請求項５】
請求項３の修飾β−ラクトグロブリンを包含するワクチン。
【請求項６】
免疫療法用の低アレルギー性物質を製造するための方法であって、
ａ）目的のアレルギー性ポリペプチドを結晶化し、その構造をＸ線回析によって決定し、解明された３次元結晶構造の座標を使用して、アレルゲン単量体間の回転対称軸を見出すためにアレルゲン分子パッキングを解析し、回転対称軸が見出された場合には、単量体−単量体境界面から、置換によって一過性の二量体形成が妨げられるアミノ酸残基を探索するか、あるいは一過性の二量体形成またはオリゴマー形成のための表面積の存在が既に解明されているポリペプチドを提供して次の工程ｂ）を直接実施し、
ｂ）一過性の二量体またはオリゴマーの形成に対する関与が判明したか予想される該ポリペプチドの表面積を改変することによって、該ポリペプチドが天然で有する一過性二量体形成能またはオリゴマー形成能を不活性化または低下させ、そして
ｃ）工程ｂ）で得た改変ポリペプチドについて、ヒト細胞のヒスタミン放出に対する活性化能、または他のアレルギー反応性メディエーターに対する活性化能をin vitroで試験し、ヒスタミン放出または他のメディエーターを活性化しない改変ポリペプチド、あるいはヒスタミン放出または他のメディエーターの活性化の程度が親ポリペプチドよりも低い改変ポリペプチドを、免疫療法用の低アレルギー性物質候補とする
ことを包含する方法。
【請求項７】
該アレルギー性ポリペプチドに特異的なＩｇＥ抗体が、工程ｂ）またはｃ）で得た改変ポリペプチドにも結合することを確認して、該改変アレルギー性ポリペプチドが未改変構造様の構造を有し、ＩｇＥ−ＦｃεＲＩ複合体とマスト細胞表面抗体または好塩基球表面抗体との架橋に対する防止能を有し、且つ防御性ＩｇＧ抗体の産生を生じる免疫能力を有することを検証する工程を更に包含する、請求項６に記載の方法。
【請求項８】
工程ｃ）で使用するヒト細胞が、白血球またはマスト細胞であることを特徴とする、請求項６に記載の方法。
【請求項９】
工程ａ）を分子モデリングおよびポリペプチドの３Ｄモデルに関連したコンピューター解析で実施することを特徴とする、請求項６に記載の方法。
【請求項１０】
工程ｂ）において、二量体またはオリゴマーの形成に関与するポリペプチドの表面積を、該ポリペプチドをコードする核酸の部位特異的変異によって改変することを特徴とする、請求項６に記載の方法。
【請求項１１】
部位特異的変異によって、該ポリペプチドにアミノ酸置換を導入することを特徴とする、請求項１０に記載の方法。
【請求項１２】
該置換が、小さな残基からより大きな残基への置換、疎水性残基から親水性残基への置換、あるいはポリペプチド主鎖構造の改変であることを特徴とする、請求項１１に記載の方法。
【請求項１３】
該アレルギー性ポリペプチドの単量体−単量体境界面の面積が、８５０Å2またはそれ以下であることを特徴とする、請求項６に記載の方法。
【請求項１４】
該アレルギー性ポリペプチドが、Bos d 5、Bet v 1、Bet v 2、Api m 1、Der p 1、Der p 2、Api g 1、Che a 3およびApi m 5からなる群より選ばれることを特徴とする、請求項６に記載の方法。
【請求項１５】
該アレルギー性ポリペプチドがβ−ラクトグロブリンであることを特徴とする、請求項６に記載の方法。
【手続補正２】
【補正対象書類名】図面
【補正対象項目名】図３
【補正方法】変更
【補正の内容】
【図３】
2011525891.tif 000001
【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
歯列矯正装具を固着するための移動トレーを作製する方法であって、
患者の歯牙構造の仮想模型を得る工程と、
前記模型上に仮想歯列矯正装具について所望する位置を決定する工程と、
前記所望する位置に、前記装具の少なくとも一部に合致する構成を有する仮想容器を提供する工程と、
前記模型の少なくとも一部及び前記模型から離れた前記容器の少なくとも一部にわたって延在する仮想トレー本体を誘導する工程であって、ここにおいて前記仮想トレー本体の誘導動作が、前記仮想容器と交差する前記トレー本体の歯肉側縁部を画定する動作を含む、誘導する工程と、
ラピッドプロトタイピングによって前記移動トレーを形成する工程であって、ここにおいて前記移動トレーが、前記仮想トレー本体及び仮想容器にそれぞれ対応する、実際のトレー本体及び実際の容器を備える、形成する工程と、を含む、方法。
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
積層されまた予め切断された未重合の積層体（２１，２２）に始まる、高分子樹脂を予め含浸させた強化繊維を含む複合材料の３次元ビーム型要素を製造するための装置において、
ローラ列（１７）をそれ自身に備えるヘッド（１５）を備え、
前記ヘッド（１５）は固定台板に沿って長手方向に移動可能であり、前記ヘッド（１５）が移動すると、前記ローラ列（１７）が、未重合の前記積層体（２１，２２）に対して作用してそれらを圧縮・成形し、それによって、前記積層体（２１，２２）がその後の一体化が可能な状態になるように、前記積層体（２１，２２）をそれらの最終形状に一気に成形することを特徴とする装置。
【請求項２】
前記ヘッド（１５）が、前記ローラ列（１７）及び成形される前記積層体（２１，２２）を加熱するための加熱システム（１６）を備えることを特徴とする請求項１に記載の複合材料の３次元ビーム型要素を製造するための装置。
【請求項３】
前記ヘッド（１５）が、成形された前記積層体（２１，２２）を冷却するための冷却システム（１８）を備えることを特徴とする請求項１又は２に記載の複合材料の３次元ビーム型要素を製造するための装置。
【請求項４】
前記冷却システム（１８）が、低温の空気又はガスの噴射に基づくものであることを特徴とする請求項３に記載の複合材料の３次元ビーム型要素を製造するための装置。
【請求項５】
前記ローラ列（１７）のローラが、可変断面を有するものであることを特徴とする請求項１〜４のいずれか一項に記載の複合材料の３次元ビーム型要素を製造するための装置。
【請求項６】
前記装置が、２つの成形モジュール（１９，２０）を備え、前記ヘッド（１５）が、前記積層体（２１，２２）を成形するために前記成形モジュール（１９，２０）に対して作用することを特徴とする請求項１〜６のいずれか一項に記載の複合材料の３次元ビーム型要素を製造するための装置。
【請求項７】
前記積層体（２１，２２）の成形が、硬化金型（２４）上で直接行われ、それらがその後前記３次元要素の硬化に用いられることを特徴とする請求項１〜５のいずれか一項に記載の複合材料の３次元ビーム型要素を製造するための装置。
【請求項８】
前記積層体（２１，２２）と共に、前記積層体（２１，２２）の間に挿入される第３の積層体（２３）が導入され、また、前記積層体（２１，２２）の段階的な成形を行う前記ローラ列（１７）が、必要とする新しい断面にプロセスを適応させられるように前記中間の積層体（２３）の幅と等しい幅を持つ間隔（２５）を前記ローラの２つの半体の間に有していることを特徴とする請求項１〜５のいずれか一項に記載の複合材料の３次元ビーム型要素を製造するための装置。
【請求項９】
前記３次元要素が、航空構造材であるＴ字形状のストリンガ又はスティフナであることを特徴とする請求項１〜９のいずれか一項に記載の複合材料の３次元ビーム型要素を製造するための装置。
【請求項１０】
請求項１に記載の装置によって、積層されまた予め切断された未重合の積層体（２１，２２）に始まる、高分子樹脂を予め含浸させた強化繊維を含む複合材料の３次元ビーム型要素を製造するための方法において、
ａ）前記積層体（２１，２２）を成形装置に載置した後前記装置を閉じる段階と、
ｂ）前記ローラ列（１７）を前記積層体（２１，２２）の端部のうちの一端へ移動させ、１番目のローラにより前記一端の成形を開始し、その成形を、前記ローラ列（１７）の全てのローラが断面を通過してその断面を最終形状にするまで漸次継続する段階と、
ｃ）得られた積層体（２１，２２）の最終形状を安定化させる段階と、
ｄ）前記得られた最終形状を持つ前記３次元要素を取り出すために、前記成形装置を分離する段階と
を含むことを特徴とする複合材料の３次元ビーム型要素を製造するための方法。
【請求項１１】
前記成形装置が、２つの成形モジュール（１９，２０）であり、ヘッド（１５）の前記ローラ列（１７）が、前記積層体（２１，２２）を成形するために前記成形モジュール（１９，２０）に対して作用することを特徴とする請求項１０に記載の複合材料の３次元ビーム型要素を製造するための方法。
【請求項１２】
前記成形装置が、硬化金型（２４）であり、それらをその後前記３次元要素の硬化に用いることを特徴とする請求項１０に記載の複合材料の３次元ビーム型要素を製造するための方法。
【請求項１３】
前記成形プロセスが、前記積層体（２１，２２）間に挿入される中間の積層体（２３）の厚さを漸次変更することができるように、前記ローラの２つの半体の間に間隔（２５）を導入することをさらに含むことを特徴とする請求項１０に記載の複合材料の３次元ビーム型要素を製造するための方法。
【請求項１４】
前記３次元要素が、航空構造材であるＴ字形状のストリンガ又はスティフナであることを特徴とする請求項１０〜１３のいずれか一項に記載の複合材料の３次元ビーム型要素を製造するための方法。
【手続補正２】
【補正対象書類名】明細書
【補正対象項目名】００１５
【補正方法】変更
【補正の内容】
【００１５】
第１の段階では、図１ａから分かるように、ストリンガ又はスティフナを得るための平坦な積層体１，２であって、予め積層・切断されている積層体１，２が、成形モジュール３，４に位置しており、ストリンガ又はスティフナの足部に対応することになる積層体１，２の領域が、レッジ５，６によって保持されている。成形モジュール３，４はそれぞれ、それを介して吸引可能に真空システムに接続された有孔板からなる真空テーブル７上に位置付けられている。真空テーブル７上には、積層体１，２を加熱し成形を容易にすることができる加熱・冷却システム９と、真空テーブル７上に位置する成形モジュール３，４の形状に適応可能な好ましくはシリコーンからなる弾性膜１０とを備えたフード８が位置している。
【手続補正３】
【補正対象書類名】明細書
【補正対象項目名】００２４
【補正方法】変更
【補正の内容】
【００２４】
図２ａ〜２ｅに示す装置を用いた本発明の第１の実施例に係る成形装置の作業を図３ａ、３ｂ、及び３ｃに概略的に示す。この作業は以下の工程又は段階に要約できる。つまり、図３ａに示す第１の段階において、平坦な積層体２１，２２を成形モジュール１９，２０に対して位置決めし、それらモジュール１９，２０を閉じる。図３ｂに示す第２の段階では、ローラ列１７を２つの積層体２１，２２の一端へ移動させ、成形モジュール１９，２０に対して１番目のローラＩにより前記一端の加熱成形を開始し、長手方向の移動によって加熱成形を漸次続け、積層体２１，２２が最終的Ｔ字状断面（図３ｂの断面Ｅ−Ｅ'）に達するまで積層体２１，２２を開く。また、一旦ローラ列１７の全てのローラＩ〜ＶＩＩが断面を通過した時点で、積層体２１，２２がその形成された最終断面を維持できるように、可動ヘッド１５の端部に位置する冷却システム１８によって積層体２１，２２を冷却する。最後に、図３ｃに示す第３の段階によって、フィラー１３の載置と成形モジュール１９，２０の分離が行われ、最終形状のスティフナ／ストリンガを取り出すことができるようにする。
【手続補正書】
【提出日】平成24年6月22日(2012.6.22)
【手続補正１】
【補正対象書類名】特許請求の範囲
【補正対象項目名】請求項１３
【補正方法】変更
【補正の内容】
【請求項１３】
コーティング組成物の硬化のための触媒として、コーティング組成物の不揮発性成分に対して０．１〜２０質量％のアミンブロックされたリン酸を含むことを特徴とする、請求項８から１２までのいずれか１項又は複数項に記載のコーティング組成物。
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
２つの異なる成分Ａおよび成分Ｂを含む顔料混合物であって、前記成分Ａが、５０ミクロン未満の平均粒径および１００ｎｍ未満の厚さを有するプレートレット状のグラファイト（グラファイトナノプレートレット）であり、かつ、前記成分Ｂが有機顔料または無機顔料である、顔料混合物。
【請求項２】
前記グラファイトナノプレートレットのうちの９５％超が５０ｎｍ未満の厚さを有する、請求項１に記載の顔料混合物。
【請求項３】
前記グラファイトナノプレートレットのうちの９５％超が２０ｎｍ未満の厚さを有する、請求項１または２に記載の顔料混合物。
【請求項４】
９０％超の前記グラファイトナノプレートレットが３ｎｍ〜２０ｎｍの厚さを有し、かつ、１〜３０ミクロンの長さおよび１〜３０ミクロンの幅を有する、請求項１に記載の顔料混合物。
【請求項５】
前記成分Ｂが、効果顔料、特に真珠箔顔料、金属効果顔料、干渉顔料および／または光輝顔料である、請求項１から４のいずれか１項に記載の顔料混合物。
【請求項６】
前記成分Ｂがプレートレット状粒子であり、少なくとも
【表１】
2011525557.tif 000001
［表中、
ＴＲＡＳＵＢは、天然もしくは合成マイカ、別の層状ケイ酸塩、ガラス、Ａｌ2Ｏ3、ＳｉＯz、特にＳｉＯ2、ＳｉＯ2／ＳｉＯx／ＳｉＯ2（０．０３≦ｘ≦０．９５）、ＳｉＯ1.40〜2.0／ＳｉＯ0.70〜0.99／ＳｉＯ1.40〜2.0およびＳｉ／ＳｉＯz（０．７０≦ｚ≦２．０）からなる群から選択される低屈折率の半透明または透明基材であり、
ＳＴＬは、半透明のＣｕ、Ａｇ、ＣｒもしくはＳｎの半透明金属層、および半透明の亜酸化ケイ素層、亜酸化チタン層もしくは炭素層からなる群から選択される半透明層である］を含む（多層）構造を有する、請求項５に記載の顔料混合物。
【請求項７】
前記成分Ｂが、プレートレット状のキナクリドン、フタロシアニン、フルオロルビン、ジオキサジン、レッドペリレンまたはジケトピロロピロールなどのプレートレット状の有機顔料である、請求項１から４のいずれか１項に記載の顔料混合物。
【請求項８】
前記効果顔料が、有色もしくは無色の金属酸化物、例えば、二酸化チタン、二酸化ジルコニウムおよび／または酸化鉄で被覆されたプレートレット状材料、例えば、天然もしくは合成マイカ、ガラスプレートレット、Ａｌ2Ｏ3プレートレットまたはＳｉＯ2プレートレットである、請求項５に記載の顔料混合物。
【請求項９】
前記効果顔料が、二酸化チタンまたは二酸化ジルコニウムで被覆された天然もしくは合成マイカ、ガラスプレートレット、Ａｌ2Ｏ3プレートレットまたはＳｉＯ2プレートレットである、請求項８に記載の顔料混合物。
【請求項１０】
前記効果顔料が、Ｆｅ2Ｏ3またはＦｅ3Ｏ4で被覆された天然もしくは合成マイカ、ガラスプレートレット、Ａｌ2Ｏ3プレートレットまたはＳｉＯ2プレートレットである、請求項５に記載の顔料混合物。
【請求項１１】
前記成分Ａの前記成分Ｂに対する質量比が、１：１０〜１０：１の比である、請求項１から１０のいずれか１項に記載の顔料混合物。
【請求項１２】
請求項１から１１のいずれか１項に記載の顔料混合物を含む、コーティング、ワニス、プラスチック、塗料、印刷インク、マスターバッチ、セラミックまたはガラス、ならびに、化粧品またはパーソナルケア製品からなる群から選択される物品。
【請求項１３】
請求項１に記載の顔料混合物の形成方法であって、前記２つの成分Ａと成分Ｂを混合して顔料組成物を形成する工程、または前記成分Ａおよび前記成分Ｂの離散粒子を含有する水性懸濁液を噴霧乾燥させる工程を含む、顔料混合物の形成方法。
【請求項１４】
請求項１から１１のいずれか１項に記載の顔料混合物の使用であって、塗料における使用、織物染色のための使用、または、コーティング、印刷インク、プラスチック、化粧品、木材塗装／印刷物、金属塗装印刷物、もしくは、セラミックもしくはガラスの上塗りの着色のための使用。
【請求項１５】
請求項１から１１のいずれか１項に記載の顔料混合物の有効着色量を高分子量有機材料に組み込むことによって、前記高分子量有機材料を着色する方法。
【手続補正２】
【補正対象書類名】明細書
【補正対象項目名】００５０
【補正方法】変更
【補正の内容】
【００５０】
好適な成分Ｂ粒子は、プレートレット（フレーク）、棒状材料および繊維などのあらゆる高アスペクト比の材料である。アスペクト比は、少なくとも１０対１である。「アスペクト比」という用語は、粒子の最大寸法（長さ）の最小寸法（厚さ）に対する比を指す。
【手続補正３】
【補正対象書類名】明細書
【補正対象項目名】００５２
【補正方法】変更
【補正の内容】
【００５２】
成分Ａの成分Ｂに対する質量比は、任意の比であってよい。例えば、その比は、約１：１〜約１：２００であってよい。好ましくは、その比は、約１：１０〜約１：２００、より好ましくは約１：１０〜約１：３０である。
【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
炭化水素、一酸化炭素、窒素酸化物、および微粒子を含む、排気システム処理のためのガソリン直噴エンジンの下流の排出ガス処理システムであって、
該排出ガス処理システムは、微粒子トラップ上またはトラップ内にコーティングされた３元変換（ＴＷＣ）触媒からなる触媒化微粒子トラップを含むことを特徴とする排出ガス処理システム。
【請求項２】
微粒子トラップが、すす除去フィルタを含む請求項１に記載の排出ガス処理システム。
【請求項３】
触媒化微粒子トラップの下流に位置する、ＮＯｘトラップ、ＳＣＲ触媒、または両方を更に含む請求項１に記載の排出ガス処理システム。
【請求項４】
３元変換触媒組成物が、微粒子トラップの入口側面、出口側面、または両側面でコーティングされている請求項１に記載の排出ガス処理システム。
【請求項５】
一方の入口側面又は出口側面が、パラジウム、支持体、および酸素吸蔵物質を含むウォッシュコートでコーティングされており、他方の入口側面又は出口側面が、ロジウム、支持体、および酸素吸蔵物質を含むウォッシュコートでコーティングされている請求項４に記載のシステム。
【請求項６】
出口側面が、パラジウム、支持体、および酸素吸蔵物質を含むウォッシュコートでコーティングされており、入口側面が、ロジウム、支持体、および酸素吸蔵物質を含むウォッシュコートでコーティングされている請求項４に記載のシステム。
【請求項７】
パラジウム、支持体、および酸素吸蔵物質を含むウォッシュコートにおいて、
前記酸素吸蔵物質が、ウォッシュコートの最大１０重量％の量で存在する請求項５または６に記載のシステム。
【請求項８】
ロジウム、支持体、および酸素吸蔵物質を含むウォッシュコートにおいて、
前記酸素吸蔵物質が、ウォッシュコートの１０〜２５重量％の量で存在する請求項５または６に記載のシステム。
【請求項９】
微粒子トラップの入口側面が、１０〜５０ミクロンの範囲の厚みを有する３元変換触媒の層をその上に含む請求項１に記載のシステム。
【請求項１０】
５０％以上の総白金族金属（ＰＧＭ）の充填量が、フィルタの上流２０〜５０％軸方向距離に担持され、５０％以下の総ＰＧＭ充填量が、フィルタの後方５０〜８０％軸方向距離に担持される請求項２に記載のシステム。
【請求項１１】
炭化水素、一酸化炭素、窒素酸化物、および微粒子を含む排気システム処理のためのガソリン直噴エンジンの下流の排出ガス処理システムであって、
該排出ガス処理システムは、その上に担持された酸化触媒または３元変換触媒を有する触媒化された微粒子トラップ；１つ以上のガスセンサー、および車載診断（ＯＢＤ）システムを備えることを特徴とする排出ガス処理システム。
【請求項１２】
微粒子トラップの入口側面と出口側面の両方が、パラジウム、白金、または両方から選択される貴金属成分；支持体；および酸素吸蔵物質を含むウォッシュコートでコーティングされている請求項１１に記載の排出ガス処理システム。
【請求項１３】
炭化水素、一酸化炭素、窒素酸化物、および微粒子を含む排気ガスを処理する方法であって、
ガソリン直噴エンジンの下流に排出ガス処理システムを設置するステップ；
排出ガス処理システムで微粒子トラップ上に担持された３元変換（ＴＷＣ）触媒を含む触媒化された微粒子トラップを提供するステップ；
およびエンジンからの排気ガスを触媒化微粒子トラップと接触させるステップを含むことを特徴とする方法。
【請求項１４】
合計２ｇ／ｉｎ３以下の量の触媒を微粒子トラップの入口側面と出口側面に担持させることを更に含む請求項１３に記載の方法。
【請求項１５】
第２の３元変換触媒を触媒化微粒子トラップの上流に提供することを更に含む請求項１３に記載の方法。
【請求項１６】
低温始動状態の過程で触媒化微粒子トラップを接触させ、低温始動状態の後で触媒化微粒子トラップを迂回させることを含む請求項１３に記載の方法。
【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
プラットフォーム（２）において、
基幹中央モジュール（４）と、多数の伸縮自在な放射状支持梁部材（６）と、前記プラットフォーム（２）の直径とは無関係な弓形モジュール（１０、１２、１４）の形態の多数の前記建設要素部材とを具備することを特徴とする、プラットフォーム（２）。
【請求項２】
前記プラットフォーム（２）が筒状の塔についての内部プラットフォームである、請求項１に記載のプラットフォーム（２）。
【請求項３】
前記筒状の塔がスチール製の風車塔（２４）である、請求項２に記載のプラットフォーム（２）。
【請求項４】
前記プラットフォーム（２）が、前記塔（２４）の内壁（２２）に適合するようにその場所で多数の建設要素部材から組み立てられるようになっている、請求項３に記載のプラットフォーム（２）。
【請求項５】
前記伸縮自在な放射状支持梁部材（６）の内端部が前記基幹中央モジュール（４）と堅く連結されていることを特徴とする、請求項１〜４のいずれか１項に記載のプラットフォーム（２）。
【請求項６】
取付部材によって、前記伸縮自在な放射状支持梁部材（６）の外端部（８）が、前記塔（２４）の内壁（２２）に連結されるようになっていることを特徴とする、請求項４に記載のプラットフォーム（２）。
【請求項７】
前記取付部材が磁石を具備する、請求項６に記載のプラットフォーム（２）。
【請求項８】
前記基幹中央モジュール（４）と、前記建設要素部材と、前記放射状支持梁部材（６）の少なくとも内側部分とが成形によって作られ、それらの成形材料が、プラスチックの場合には炭素繊維またはガラス繊維のような適切な強度を与える添加物によって強化されることができることを特徴とする、請求項１〜４のいずれか１項に記載のプラットフォーム（２）。
【請求項９】
前記建設要素部材が、前記基幹中央モジュール（４）と前記塔（２４）の内壁（２２）との間の範囲を覆うための少なくとも二種類の弓形モジュール（１０、１２、１４）と、前記塔（２４）の内壁（２２）に隣接する外周リングとして設置されるための多数の二品型弓形モジュール（１６）とから成ることを特徴とする、請求項４に記載のプラットフォーム（２）。
【請求項１０】
前記二品型弓形モジュール（１６）の各々が、前記プラットフォーム（２）の中心に向かって設置される固定部（１８）と、前記プラットフォーム（２）の変化する直径に合うように水平位置から傾斜位置に曲がることができるヒンジ部（２０）とを具備することを特徴とする、請求項９に記載のプラットフォーム（２）。
【請求項１１】
前記固定部が、前記弓形モジュール（１０、１２）の一つの外端部に連結されるようになっている前記ヒンジ部の連結部分から成ることができ、または前記弓形モジュール（１０、１２）の一つからさえも成ることができることを特徴とする、請求項９に記載のプラットフォーム（２）。
【請求項１２】
前記少なくとも二種類の弓形モジュール（１０、１２、１４）は、該弓形モジュール間の差異が該モジュールの直辺間の角度及び該直辺の幅であり且つ前記モジュールがスナップ式ロックまたはバネロックによって組み立てられるのに適するように作られることを特徴とする、請求項９に記載のプラットフォーム（２）。
【請求項１３】
強化用スチールバンド（２８）または強化用スチール板（２８）が、前記伸縮自在な放射状支持梁部材（６）間と、相互に連結された弓形モジュール（１０、１２、１４）の端部間とにおいて締め付けられることを特徴とする、請求項１〜４のいずれか１項に記載のプラットフォーム（２）。
【手続補正２】
【補正対象書類名】図面
【補正対象項目名】全図
【補正方法】変更
【補正の内容】
【図１】
2011525576.tif 000001
【図２】
2011525576.tif 000002
【図３】
2011525576.tif 000003
【図４】
2011525576.tif 000004
【図５】
2011525576.tif 000005
【図６】
2011525576.tif 000006
【図７】
2011525576.tif 000007
【図８】
2011525576.tif 000008
【図９】
2011525576.tif 000009
【図１０】
2011525576.tif 000010
【図１１】
2011525576.tif 000011
【図１２】
2011525576.tif 000012
【図１３】
2011525576.tif 000013
【図１４】
2011525576.tif 000014
【図１５】
2011525576.tif 000015
【図１６】
2011525576.tif 000016
【図１７】
2011525576.tif 000017
【図１８】
2011525576.tif 000018
【図１９】
2011525576.tif 000019
【図２０】
2011525576.tif 000020
【図２１】
2011525576.tif 000021
【図２２】
2011525576.tif 000022
【図２３】
2011525576.tif 000023
【図２４】
2011525576.tif 000024
【図２５】
2011525576.tif 000025
【図２６】
2011525576.tif 000026
【図２７】
2011525576.tif 000027
【図２８】
2011525576.tif 000028
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
生理学的に許容される媒体中に、
（ａ）４０℃と９０℃の間の融点、および９５％未満、好ましくは９０％未満、より好ましくは７５％未満であって、且つ、４５％を超える結晶化度を有する少なくとも１種のポリエステルワックスを、組成物の全重量に対して０．６から２０重量％、および
（ｂ）少なくとも１種のアクリレート／メタクリル酸ポリトリメチルシロキシコポリマーを、組成物の全重量に対して１から２５％
含む、スキンメイクアップまたはスキンケアのための化粧料組成物。
【請求項２】
生理学的に許容される媒体中に、
（ａ）４０℃と９０℃の間の融点、および９５％未満、好ましくは９０％未満、より好ましくは７５％未満であって、且つ、４５％を超える結晶化度を有する少なくとも１種のポリエステルワックス、および
（ｂ）少なくとも１種のアクリレート／メタクリル酸ポリトリメチルシロキシコポリマー
を含み、
該組成物が、周囲雰囲気中において２０℃で、
−０．１Ｐａと１２００００Ｐａの間、好ましくは１００Ｐａと５００００Ｐａの間、より好ましくは７００Ｐａと３５０００Ｐａの間の平均弾性係数Ｇ’、および
−３０Ｐａと３００００Ｐａの間、好ましくは１００Ｐａと１００００Ｐａの間、より好ましくは３００Ｐａと５０００Ｐａの間の平均粘性係数Ｇ”
を有するような量で、前記ワックスおよび前記コポリマーが存在する、
スキンメイクアップまたはスキンケアのための化粧料組成物。
【請求項３】
前記ポリエステルワックスが、（ｉ）ラウリン酸、ミリスチン酸、パルミチン酸、オレイン酸、ステアリン酸、１２−ヒドロキシステアリン酸、およびベヘン酸、ならびにこれらの混合物から選択されてもよい前記脂肪族モノカルボン酸、（ｉｉ）エイコサ二酸、エチルオクタデカン二酸、およびドデカン二酸、ならびにこれらの混合物から選択されてもよい、１２から３６個の炭素原子を有する、線状または分岐状の二酸、および（ｉｉｉ）グリセロールから得られることを特徴とする、請求項１または２に記載の組成物。
【請求項４】
前記ポリエステルワックスが、エイコサ二酸と、ベヘン酸によって、また任意選択でイソステアリン酸によってエステル化されたグリセロールとのジエステルであることを特徴とする、請求項３に記載の組成物。
【請求項５】
前記ポリエステルワックスが、合成ミツロウ、ビス−ＰＥＧ−１２ジメチコンミツロウのＩＮＣＩ名を有するワックスなどのミツロウ誘導体、およびこれらの混合物から選択されることを特徴とする、請求項１または２に記載の組成物。
【請求項６】
前記ポリエステルワックスが、ステアリン酸および酢酸のスクロースエステルであることを特徴とする、前記請求項に記載の組成物。
【請求項７】
前記ポリエステルワックスが、組成物の重量の０．６から１５重量％、好ましくは１から１０重量％、より好ましくは２から８重量％を占めることを特徴とする、請求項１から６のいずれか一項に記載の組成物。
【請求項８】
前記アクリレート／メタクリル酸ポリトリメチルシロキシコポリマーと前記ポリエステルワックスとの重量比が、５／１と１／１の間であることを特徴とする、請求項１から７のいずれか一項に記載の組成物。
【請求項９】
組成物の重量に対して、０．１から８０重量％の少なくとも１種のイソドデカンまたはシクロペンタジシロキサンなどの揮発性オイルを含むことを特徴とする、請求項１から８のいずれか一項に記載の組成物。
【請求項１０】
６５０ｇ／ｍｏｌを超える分子量を有する少なくとも１種の非揮発性オイルを含むことを特徴とする、請求項１から９のいずれか一項に記載の組成物。
【請求項１１】
５重量％未満の水を含むことを特徴とする、請求項１から１０のいずれか一項に記載の組成物。